(57)【特許請求の範囲】
【請求項１】
２つの液体の界面を変動させることにより光学的パワーを変化させる液体レンズの駆動方法であって、
搬送波に変調波を重畳した振幅変調信号である駆動信号により、前記液体を介在させて電圧を印加し、
搬送波のみの駆動信号により２つの電圧値の電圧をそれぞれ印加することで与えられる２つの光学的パワーの差と、搬送波に変調波を重畳した振幅変調信号の駆動信号により与えられる前記２つの電圧値に対応する光学的パワーの差の比率を振幅比とし、振幅変調信号の最大振幅の電圧値をVMax、振幅変調信号の最小振幅の電圧値をVMinとし、変調波の変調深さＭｄをMd=(VMax-VMin)/(VMax+VMin)としたとき、前記変調波の変調周波数の変化に対する前記振幅比の変化の傾きとは逆の符号を持つように、前記変調波の変調周波数の変化に対して前記変調波の変調深さを変化させることを特徴とする駆動方法。
【請求項２】
前記変調波の変調周波数は、複数の定められた周波数から選択されることを特徴とする請求項１に記載の駆動方法。
【請求項３】
前記液体レンズは共振周波数を有し、前記変調波の変調周波数のうち少なくとも一つは、前記共振周波数より大きいことを特徴とする請求項２に記載の駆動方法。
【請求項４】
前記変調波の変調周波数のうち、前記共振周波数より低い変調周波数が選ばれた場合では、前記変調波の変調深さを変化させず、前記共振周波数を超える変調周波数が選ばれた場合では、前記変調波の変調深さを変化させることを特徴とする請求項３に記載の駆動方法。
【請求項５】
前記振幅比と前記変調波の変調深さの積が略一定となる様に、前記変調波の変調周波数の変化に対して前記変調波の変調深さを変化させることを特徴とする請求項１から４の何れか１項に記載の駆動方法。
【請求項６】
前記変調波の変調周波数で前記液体レンズの光学的パワーを変化させるとともに、前記変調波の中心電圧を変化させることで前記液体レンズの光学的パワーの平均値を時間変動させることを特徴とする請求項１から５の何れか１項に記載の駆動方法。
【請求項７】
前記液体レンズの焦点距離を微小振動させるウォブリングを行って焦点距離を調整するために、前記駆動信号により前記液体を介在させて電圧を印加することを特徴とする請求項１から６の何れか１項に記載の駆動方法。
【請求項８】
撮像光学系と撮像素子を有し、前記撮像光学系は、２つの液体の界面を変動させることにより光学的パワーを変化させる液体レンズを含む撮像装置であって、
搬送波に変調波を重畳した振幅変調信号である駆動信号を前記液体レンズに供給する信号供給手段を備え、
搬送波のみの駆動信号により２つの電圧値の電圧をそれぞれ印加することで与えられる２つの光学的パワーの差と、搬送波に変調波を重畳した振幅変調信号の駆動信号により与えられる前記２つの電圧値に対応する光学的パワーの差の比率を振幅比とし、振幅変調信号の最大振幅の電圧値をVMax、振幅変調信号の最小振幅の電圧値をVMinとし、変調波の変調深さＭｄをMd=(VMax-VMin)/(VMax+VMin)としたとき、前記信号供給手段は、前記変調波の変調周波数の変化に対する前記振幅比の変化の傾きとは逆の符号を持つように、前記変調波の変調周波数の変化に対して前記変調波の変調深さを変化させた駆動信号を供給することを特徴とする撮像装置。
【請求項９】
前記撮像装置は複数のフレームレートを有し、
前記信号供給手段は、前記フレームレートが切り替えられた際に、前記フレームレートに比例して前記液体レンズの駆動信号の変調波の変調周波数を変化させることを特徴とする請求項８に記載の撮像装置。
【請求項１０】
前記信号供給手段は、前記液体レンズの光学的パワーを前記変調周波数に合わせて変動させるとともに、前記撮像素子上に形成された被写体像のコントラストが高くなるように前記液体レンズの光学的パワーの平均値を変動させる駆動信号を生成することを特徴とする請求項８または９記載の撮像装置。
【請求項１１】
前記信号供給手段は、前記撮像光学系のF値が大きくなるほど前記変調深さが大きくなるように駆動信号を生成することを特徴とする請求項８から１０の何れか１項に記載の撮像装置。
【発明の詳細な説明】
【技術分野】
【０００１】
本発明は、パワー可変光学素子の技術に関し、特に液体を用いて光学的パワーを変化させる液体レンズの技術に関する。
【背景技術】
【０００２】
現在、デジタルビデオやデジタルカメラでの動画撮影がしばしば行われている。動画撮影時において、オートフォーカス（以下、AFまたは自動焦点調整とも記す）を用いる場合、被写体像のコントラストに係る評価値を利用するコントラストAFを用いると、AF速度が問題になる。そのため、フォーカス位置を微小振動させ、コントラストが高い方向を検出してフォーカススピードを向上させるウォブリングと呼ばれる操作が行われることがある。ウォブリングを行えば動画撮影時でもAFの追従性が高まるが、フォーカス位置を微小振動させるために機械的にレンズを動かす方法は音の発生の可能性がある。静止画撮影時では音の発生は問題にならないが、動画撮影時には発生した音がそのまま録音されノイズとなってしまうことがある。特に、一眼レフなどの大きなカメラでは、レンズも大きく重くなり、高速でレンズを微小振動させるのが困難になる。また、無理に動かしても大きなノイズの発生に繋がる。このため、液晶の屈折率変動を用いた液晶レンズを用いてウォブリングを行う方法が提案されている（特許文献１参照）。しかし、液晶レンズには偏光依存性があり、一般的に利用されるデジタルカメラなどに利用するには制約が大きい。
【０００３】
他方、焦点距離を電気的制御で動かすことのできる、エレクトロウェッティング（以下、EWとも記す）という方式を用いた液体レンズがある（特許文献２）。この液体レンズは、非混合な２種類の液体の界面を、液体を間に挟んだ電圧印加により変形させ、界面の変形により光学的パワーすなわち焦点距離を変えることのできるものである。このEW液体レンズの特徴として、作動時に音の発生がないことが挙げられる。このため、動画撮影時に使用してもノイズの発生がない。この特徴は大型化しても変わらず、大口径の液体レンズにおいてもほぼ無音で焦点距離を変化させられる。また、液晶レンズと違い偏光依存性が原理的に存在しないため、デジタルカメラなどへの適用も可能である。
【先行技術文献】
【特許文献】
【０００４】
【特許文献１】特開昭６２-０３６６３２号公報
【特許文献２】米国特許第７２４５４４０号
【発明の概要】
【発明が解決しようとする課題】
【０００５】
しかし、液体レンズには周波数応答特性があり、同じ振幅を有する変調電圧信号を印加してもウォブリングの周波数が高くなるに従い、焦点距離の変動範囲は狭くなる。特に、共振周波数を大きく超えたところでは焦点距離の変動範囲の減衰が非常に大きい。現在のカメラでは、動画のフレームレートが１つではなく、２４fps、３０fps、６０fpsなど複数のフレームレートが選べる様になっており、それに合わせてウォブリングの周波数を変えることが求められる。また、再生機器の倍速駆動などに合わせ、撮影画像のフレームレートも１２０fpsやそれ以上に高速化する傾向にある。このため、液体レンズの共振周波数を大きく超えた所での駆動が必要になり、周波数応答特性が大きく影響する様になっている。また、液体レンズの径が大型化するにつれ、共振周波数が大きく低下する。そのため、周波数応答特性による焦点距離の変動範囲の減衰の影響は更に大きくなり、そのままではウォブリングに必要な焦点距離の変動を確保できなくなる可能性がある。特に、デジタルカメラやデジタルビデオカメラなどでは大口径の液体レンズが必要であり、この影響は顕著である。
【課題を解決するための手段】
【０００６】
本発明の液体レンズの駆動方法は、２つの液体の界面を変動させることにより光学的パワーを変化させる液体レンズの駆動方法であって、搬送波に変調波を重畳した振幅変調信号である駆動信号により、前記液体を介在させて電圧を印加し、搬送波のみの駆動信号により２つの電圧値の電圧をそれぞれ印加することで与えられる２つの光学的パワーの差と、搬送波に変調波を重畳した振幅変調信号の駆動信号により与えられる前記２つの電圧値に対応する光学的パワーの差の比率を振幅比とし、振幅変調信号の最大振幅の電圧値をVMax、振幅変調信号の最小振幅の電圧値をVMinとし、変調波の変調深さＭｄをMd=(VMax-VMin)/(VMax+VMin)としたとき、前記変調波の変調周波数の変化に対する前記振幅比の変化の傾きとは逆の符号を持つように、前記変調波の変調周波数の変化に対して前記変調波の変調深さを変化させることを特徴とする。
【０００７】
また、本発明の撮像装置は、撮像光学系と撮像素子を有し、前記撮像光学系は、２つの液体の界面を変動させることにより光学的パワーを変化させる液体レンズを含む撮像装置であって、搬送波に変調波を重畳した振幅変調信号である駆動信号を前記液体レンズに供給する信号供給手段を備え、搬送波のみの駆動信号により２つの電圧値の電圧をそれぞれ印加することで与えられる２つの光学的パワーの差と、搬送波に変調波を重畳した振幅変調信号の駆動信号により与えられる前記２つの電圧値に対応する光学的パワーの差の比率を振幅比とし、振幅変調信号の最大振幅の電圧値をVMax、振幅変調信号の最小振幅の電圧値をVMinとし、変調波の変調深さＭｄをMd=(VMax-VMin)/(VMax+VMin)としたとき、前記信号供給手段は、前記変調波の変調周波数の変化に対する前記振幅比の変化の傾きとは逆の符号を持つように、前記変調波の変調周波数の変化に対して前記変調波の変調深さを変化させた駆動信号を供給することを特徴とする。
【発明の効果】
【０００８】
本発明によれば、液体レンズ用の駆動信号を前述の如く生成するので、液体レンズの周波数応答特性による影響を低減することができる。例えば、液体レンズにより前述のウォブリングを行う際に、ウォブリング周波数を変化させても、ウォブリングによりフォーカス方向を判断するに十分な焦点距離の変動範囲を与えることが可能になる。
【図面の簡単な説明】
【０００９】
【図１】実施例１における液体レンズを駆動する構成のブロック図である。
【図２】実施例１における液体レンズの周波数応答特性を示す図である。
【図３】実施例１における液体レンズへの入力振幅変調信号の模式図である。
【図４】実施例１における液体レンズの周波数-振幅比特性と入力振幅変調信号の周波数-変調深さ特性を表わす図である
【図５】実施例２における撮像装置のブロック図である。
【図６】実施例２における液体レンズの周波数応答特性を示す図である。
【図７】実施例２における液体レンズの周波数-振幅比特性と入力振幅変調信号の周波数-変調深さ特性を表わす図である。
【図８】実施例３における撮像装置のブロック図である。
【図９】実施例３における液体レンズへの入力振幅変調信号及び入力振幅変調信号の中心電圧の時間変動を示す図である。
【発明を実施するための形態】
【００１０】
本発明の特徴は、液体レンズの周波数応答特性による焦点距離変動範囲への影響を低減するために、前記振幅比の変化の傾きとは逆の符号を持つ様に変調深さを変化させて駆動信号を生成し、これにより液体レンズの液体を介在させて電圧を印加することにある。変調波の変調周波数は、どの様な態様で変化させてもよいが、例えば、複数の定められた周波数から選択されて変化させられる。前記駆動信号の前述の如き生成は、少なくとも一部の変調周波数の範囲で行われればよい。例えば、液体レンズの共振周波数より低い変調周波数が選ばれた場合では、変調波の変調深さを変化させず、共振周波数を超える変調周波数が選ばれた場合では、変調波の変調深さを前述の如く変化させる様にしてもよい。前記変調深さの変化の一例として、前記振幅比と変調波の変調深さの積が略一定となる様に、変調波の変調周波数の変化に対して変調波の変調深さを変化させる態様がある。これにより、変調周波数が変化しても、より安定的に焦点距離変動範囲を確保することができる。液体レンズの光学的パワーは、変調波の変調周波数で変化させるとともに、変調波の中心電圧を変化させることでその平均値を時間変動させることもできる。後述の実施例３では、この様にして、液体レンズに、AFのためのフォーカスレンズの役割も併せ持たせている。
【００１１】
前記駆動信号による液体を介在させた電圧印加は、例えば、液体レンズの焦点距離を微小振動させるウォブリングを行って焦点距離を調整するために行われる。ウォブリングのような焦点位置を微小周期変動させる手法は、光学スキャナにおいて光源からの光ビームを偏向器で偏向した後、液体レンズで感光体上に集光して形成する光スポットの焦点位置を変化させる等のために行うこともできる。
【００１２】
（実施例１）
図１から図４を用いて、本発明の実施例１を説明する。図１は、本実施例における液体レンズ１０１を駆動するための構成を示す図、図２は液体レンズ１０１の周波数応答曲線の図である。液体レンズ１０１に入力される駆動信号は、図３に示すような振幅変調（以下AM変調とも言う）信号である。ここでは、AM変調信号は、搬送波としてFb（Hz）の矩形波を使用し、搬送波に重畳される変調波としてFw（Hz）の正弦波を使用している。しかし、搬送波、変調波ともに波形はこれに限るものではなく、搬送波が正弦波などでも、また変調波が三角波などでも構わない。AM変調信号が図３に示すような波形を有するのは、液体レンズ１０１において界面を形成する液体に電荷が蓄積されない様にする為である。エレクトロウェッティング方式の液体レンズ１０１は、筐体内部に封止された非導電性液体及び導電性液体と、これらの液体を介在させて電圧を印加するための電極を有する。また、印加する電圧を制御する手段を備え、これにより２種の液体のなす界面形状を変化させることで光学的パワーを変化させる。
【００１３】
ここで、変調波の変調深さＭｄを以下の様に定義する。
Md=(VMax-VMin)/(VMax+VMin)        （１）
なお、図３に示すように、振幅変調信号の最大振幅の電圧値をVMax、振幅変調信号の最小振幅の電圧値をVMinとしている。
図２は、横軸が変調波の変調周波数（Hz）である。縦軸は、変調波の周波数が０Hz（変調しない）である場合に２値である電圧値VMax（V）とVMin（V）をそれぞれ印加したときの光学的パワーの差を１としたときの、各変調周波数における２値の電圧値（VMax（V）、VMin（V））に対応する光学的パワーの差を示す。即ち、前者の光学的パワーの差に対する、搬送波に変調波を重畳した駆動信号により与えられる２つの電圧値（VMax（V）、VMin（V））に対応する光学的パワーの変動差の比率を示す。本明細書では、この比率を振幅比と言及する。図２中、最も振幅比が大きくなる点２０３は液体レンズ１０１の共振周波数である。図２の様に共振周波数２０３より周波数が低い場合、振幅比は大きくは増減しない。これに対し、点２０１の様に変調周波数が共振周波数２０３を越えると振幅比は大きく減少し、カットオフ周波数で振幅比は０となる。
【００１４】
液体レンズ１０１において、上述したウォブリングを行うためには、或る焦点位置を中心に、その前後に液体レンズの光学的パワーを変化させる必要がある。このため、ウォブリング時の液体レンズは或る焦点位置での電圧VCenterを中心に動作する。ここでは、仮にVCenter（V）を次式の様におく。ただし、VCenterの定義は便宜上のものであり、VMaxとVMinで与えられる実効電圧値もしくはそれに準ずるものであればよい。
【００１５】
【数２】
0005783729.tif 000002
【００１６】
ここで、ウォブリング周波数を１５Hzと３０Hzの２つのうちから切り替えるとし、共振周波数を１０Hzとする。これらの周波数は、２つのウォブリング周波数が図２中の２０１と２０２に、共振周波数が２０３にそれぞれ対応する。また、VMax（V）とVMin（V）を与えたときの２つの光学的パワーの差を１としたときの、ウォブリングに必要な光学的パワーの差をAとする。１５Hzでウォブリングを行う場合、振幅比０.７の焦点距離変動が与えられる。このため、必要な光学的パワー差Aを与えるためには、電圧差ΔVA（V）は、（VMax-VMin）=ΔVとして次式のものが必要となる。
ΔVA=(VMax-VMin)*A*1/0.7=1.43*ΔV*A（V）        （３）
VCenterは固定なので、１５Hzの変調周波数でウォブリングする際の最大電圧、最小電圧をそれぞれV１５HzMax、V１５HzMinとしてVCenterは次式の様になる。
【００１７】
【数４】
0005783729.tif 000003
【００１８】
VCenterとΔVは既知のため、式（１）と式（３）と式（４）の連立方程式を解くことで、最大電圧、最小電圧及び変調深さを求めることができる。例えばVMax=１５V、VMin=１０V、A＝０.５としたとき、次の様になる。なお、ここではA＝０.５としたので、変調深さMd１５Hzは、図４（b）の２０１の周波数の所の変調深さ（０.２８５）のほぼ半分（０.１４３）になっている（このことは、以下の周波数の所でも同様である）。
V１５HzMax=１４.４２（V）
V１５HzMin=１０.８２（V）
Md１５Hz=０.１４３
【００１９】
ここで、ウォブリング周波数が３０Hzに切り替わったとする。切り替わる状況としては、例えば、本液体レンズを搭載した撮像装置のフレームレートが３０fpsから６０fpsに切り替わった場合などがある。このとき、３０Hzでの振幅比は０.３であり、前の電圧差ΔVAのままウォブリングを行うと、光学的パワー差C’は次式となり、必要なパワー差の４３％程度しか振幅が取れないことになる。
C’=A*0.3/0.7=0.43*A
こうなると、撮像光学系により撮像素子上に形成された被写体像のコントラストの違いを十分に検出できなくなるため、結果として合焦まで時間がかかることになる。これを解決するため、ウォブリング周波数の変化により生じる振幅比の違いを、より大きい電圧差を与えることで補正し、ウォブリングに必要な振幅（焦点距離の変動範囲）を確保する。具体的には、３０Hzにおける振幅比は０.３なので、このときに印加する電圧差ΔVC（V）は、次の様になる。
ΔVC=(VMax-VMin)*A*1/0.3=3.33*ΔV*A        （５）
【００２０】
VCenterは１５Hzの時と同様に固定値であるため、式（１）と式（２）と式（５）から３０Hzの変調周波数における電圧の最大値V３０HzMaxと最小値V３０HzMin、変調深さMd３０Hzを求めることができる。その結果、次の値が求まる。
V３０HzMax=１６.１２（V）
V３０HzMin=８.０６（V）
Md３０Hz=０.３３３
【００２１】
この様に、ウォブリングの周波数に合わせ駆動信号の変調深さを変化させることでウォブリングに必要とされる焦点距離変動量を維持することが可能になる。変化させる方向は、上記の様に振幅比が小さくなれば変調深さを大きく、振幅比が大きくなれば変調深さを小さくする様に変化させる。つまり、図４の様に振幅比-周波数曲線の傾きと、変調深さ-周波数曲線の傾きが逆の符号を持つ様にすればよい。例えば、図４の４０１の周波数の場合、振幅比は１.１なので、変調深さMd４０１及び最大電圧値VMax４０１、最小電圧値VMin４０１は次の様にすることで、焦点距離変動量をほぼ一定値に保つことができる。
VMax４０１=１３.８５（V）
VMin４０１=１１.５４（V）
Md４０１=０.０９１
【００２２】
この変調深さなどのデータは、予め求めてルックアップテーブル（以下LUT）１０４に保存しておく。ここで、ウォブリング周波数が切り替えられると、図１に示す様に、切り替え信号１０５がCPU１０３に入力される。CPU１０３はその信号に基づきAM信号発生器１０２に信号を送る。AM信号発生器１０２はCPU１０３からの信号に基づきLUT１０４から必要な変調深さデータと変調周波数を読み出し、液体レンズ１０１に振幅変調信号である駆動信号を入力する。この様に、LUT１０４に各ウォブリング周波数に対応した駆動信号のデータを格納することで、周波数の切り替えに応じて即座に駆動信号を切り替えることが可能になる。こうしたAM信号発生器１０２、CPU１０３、LUT１０４は前述の信号供給手段を構成する。
【００２３】
（実施例２）
図５、図６を用いて、本発明の実施例２を説明する。図５は本実施例における動画撮像機器のシステム図である。図６は実施例２における液体レンズの周波数応答特性図である。撮像機器５０１の撮像レンズ５０２には、液体レンズ５０３、フォーカスレンズ５０４及びフォーカス駆動システム５０５が組み込まれている。撮像開始信号５１６が入力されると、撮像レンズ５０２で撮影された画像は撮像素子５０６にて電気信号に変換され、画像処理回路５０７を通してメモリ５０８に保存される。
【００２４】
ここで、被写体（不図示）のピント位置が変化したとする。このとき、画像処理回路５０７から出力される信号は、ピントのぼけた（コントラストの低い）像になる。よって、ピント演算回路５０９からの信号を受けたCPU５１０は、現在のフレームレートなどの情報をウォブリング回路５１１に出力する。ウォブリング回路５１１はCPU５１０からの情報に合わせた設定をLUT５１２から獲得し、それに基づく駆動信号をAM変調回路５１３に出力して液体レンズ５０３のウォブリングを行う。このとき、ウォブリングの周期に合わせ、ピント演算回路５０９は被写体が現在のピントから近い方向にあるか、遠い方向にあるかを判断する。判断は、ウォブリングによるピント移動方向に合わせ画像のコントラストの計測を行い、よりコントラストの高い方向にピント位置があると判断する。
【００２５】
ここで、コントラストを検出するのは、例えば、撮像素子の１０画素程度を１周期とするような空間周波数のコントラストを基準にする。空間周波数はこれに限ることなく撮像素子の画素の大きさや画素数によって自由に選ぶことが可能である。判断の結果、例えば被写体がより近いほうにあると判断された場合、ピント演算回路５０９からレンズ駆動回路５１４へ、レンズをより近いピント方向へ移動するような信号を送る。レンズ駆動回路５１４は送られた信号に合わせ、レンズ駆動電源５１５に信号を送り、フォーカス駆動システム５０５を動作させ、フォーカスレンズ５０４を移動させる。そして、撮像素子５０６上でのコントラストが最大になる場所までフォーカスレンズ５０４を移動させ、その位置で移動を止めることで、オートフォーカス（AF）動作を行う。なお、コントラスト最大の位置を算出するにあたり、フォーカスレンズ５０４を移動させながら液体レンズ５０３もウォブリング動作させ、コントラストの変化を検出する。こうすることで、フォーカスレンズ５０４の移動量を抑えAF動作の高速化を図ることができる。
【００２６】
撮像機器５０１のフレームレートとして、２４fps、３０fps、６０fps、１２０fpsの３種類が選択できる場合を考える。このとき、ウォブリングの周波数（AM変調の変調周波数）は、２フレームで前後のピント方向を判断するため、それぞれ比例して１２Hz、１５Hz、３０Hz、６０Hzの各周波数となる。図６の６０１、６０２、６０３、６０４がそれぞれの周波数に相当する。６０５は液体レンズの共振周波数である。ここでは共振周波数を２０Hzとする。実施例１同様、図６の縦軸は振幅比である。
【００２７】
変調周波数を１２Hzから１５Hzに変化させた場合を考える。これら２つの周波数は、共に液体レンズ５０３の共振周波数（２０Hz）よりも低い。液体レンズ５０３は、共振周波数６０５より低い周波数領域では、変調周波数の変化に対して振幅比の変化が小さい。このため、本実施例では、共振周波数６０５より低い周波数領域では、変調深さを変化させず、振幅比１の状態と同じ変調深さのままの駆動信号でウォブリングさせる。この様にすることで、駆動信号について無用な昇圧を行うことなくウォブリングを実行できる。
【００２８】
更に変調周波数が３０Hzまで変化したとする。３０Hzは共振周波数を超えており、振幅比も大きく減少して、０.６まで低下している。この場合、１２Hzや１５Hzと同じ変調深さの駆動信号を入力しても、ウォブリングに必要な焦点距離変動量を得ることができないため、実施例１同様に変調深さを変化させる必要がある。６０Hzの変調周波数の場合、振幅比は０.１まで低下するため、更に駆動信号の変調波の変調深さを大きくする。
【００２９】
VMax=１１V、VMin=１０V、A=０.２としたとき、各周波数における駆動信号の変調深さ及び最大、最小電圧は、次の様になる。ここではA＝０.２としたので、変調深さは、図７（b）の各周波数の所の変調深さのほぼ５分の１になっている。
・Md１２Hz=０.００９５２
V１２HzMax=１０.６１（V）
V１２HzMin=１０.４１（V）
・Md１５Hz=０.００９５２
V１５HzMax=１０.６１（V）
V１５HzMin=１０.４１（V）
・Md３０Hz=０.０１５９
V３０HzMax=１０.６８（V）
V３０HzMin=１０.３４（V）
・Md６０Hz=０.０９５２
V６０HzMax=１１.４６（V）
V６０HzMin=９.４７（V）
【００３０】
本実施例でも、図７に示す様に、共振周波数６０５以上の周波数において、周波数-変調深さ曲線の傾きを周波数-振幅比曲線の傾きと逆符号にすることで、より効率的なウォブリング動作を行うことができる。
【００３１】
（実施例３）
図８を用いて、本発明の実施例３を説明する。図８は、実施例３における液体レンズ８０３を搭載した撮像装置のブロック図である。図８の撮像システムは、実施例２の撮像システムに構成に準じる。ただし、実施例２ではフォーカス合わせに固体レンズを移動させる方法を用いたが、本実施例ではウォブリングを行う液体レンズ８０３がAFのためのフォーカスレンズの役割も併せ持つシステムとなっている。
【００３２】
ここで、液体レンズ８０３の周波数応答特性は、実施例２の液体レンズ５０３と同じであるとする。また、撮像システム８０１の選択できるフレームレートとウォブリング周波数も、実施例２と同じである。また、撮像システム８０１がウォブリングを行い、フォーカスの移動方向を検出するまでの手続きも同じである。
【００３３】
図９は、本実施例における液体レンズ８０３への入力駆動信号を示している。本実施例では、図９の様に、電圧の最大値/最小値から計算されるVCenterの値が異なる駆動信号を入力する。このとき、変調深さMdは一定とする。このような信号を入力することで、図９（b）の様に液体レンズ８０３に入力される駆動信号の実効電圧が変化する。その結果、液体レンズ８０３が有する光学的パワーの中間値が変化し、液体レンズ８０３の平均パワーを変化させることができる。即ち、ウォブリング動作とAFのフォーカス合わせを一つの液体レンズ８０３により実行することが可能になる。AF動作用に別のレンズを必要としないため、システムの小型化が行える他に、AF動作のための機械動作が不要になり、システムの静音化が可能になる。本実施例でも、液体レンズ８０３の共振周波数以上の周波数でウォブリングを行う場合には、変調波の変調周波数の変化に対する変調深さの変化のグラフの傾きが変調周波数の変化に対する振幅比の変化の傾きと逆符号になる様に、変調深さMdを変化させる。更に、変調深さMdを変化させながらVCenterの値を変化させることで、ウォブリング動作とAF動作を同時に行うことが可能になる。
【００３４】
図８に示す本実施例では、撮像素子が８０４に、画像処理回路が８０５に、メモリが８０６に相当する。同様に、ピント演算回路が８０７、CPUが８０８、ウォブリング回路が８０９、LUTが８１０、AM変調回路が８１１、撮像開始信号が８１４に相当する。ただし、実施例２と異なり、本実施例では、フォーカスの移動を別のレンズではなく、液体レンズ８０３への入力駆動信号を変化させることで行う。即ち、ウォブリング動作によりピントの移動方向がピント演算回路８０７で算出された後、CPU８０８はフォーカス回路８１２とウォブリング回路８０９に信号を送る。その結果から、液体レンズ８０３に対し、フォーカス回路８１２からの信号とウォブリング回路８０９からの信号を合わせた駆動信号をAM変調回路８１１から液体レンズ８０３に入力する。こうすることで、液体レンズ８０３のみでAF動作及びウォブリング動作の２つの動作を併せて実行することが可能になる。
【００３５】
例えば、液体レンズ８０３が、初期の中心電圧VCenter=１０V、変調深さMd=０.０５でウォブリング動作していたとする。ここで、ピント方向が、実効電圧がより高いほうであると判断され、VCenter２が１１Vになる場合、初期の最大電圧VMaxと最小電圧VMin、変化後の最大電圧VMax２とVMin２はそれぞれ次の様になる。
VMax=１０.４９（V）
VMin=９.４９（V）
（Md=０.０５）
VMax２=１１.５４（V）
VMin２=１０.４４（V）
（Md=０.０５）
この状態では中心電圧が変動し変調深さは変化しないため、液体レンズ８０３の平均的な光学的パワーが時間変動し、その平均値を中心としてウォブリング動作が行われることになる。この様に、同じフレームレート内で変調深さを維持しながら中心電圧を変化させることで、ウォブリング動作とAF動作を一つの素子で行うことが可能になる。
【００３６】
また、本実施例では、撮像システム８０１の光学系８０２は絞り８１３を有しており、撮像する被写体の明るさに従い絞りの値を変化させる。ここで、ウォブリング動作はピントの移動方向を見極めるために行われるため、ピントの移動量は、画像のコントラストが変化するだけ移動させなければならない。しかし、絞り８１３を絞り込むことで被写界深度が深くなるため、より大きな焦点距離変動量がないとピントの移動方向を見極められなくなる。このとき、焦点距離変動量すなわちピントの移動量Lは、撮像光学系８０２の絞り値をFとして、次の量が必要とされる。
L=kδF        （５）
【００３７】
ここで、δは撮像素子の画素ピッチ、kは定数で、撮像素子のローパスフィルタの効果にもよるが、凡そ２〜４程度の値をとる。即ち、絞り８１３により撮像光学系８０１のF値が変化した場合、それに合わせてウォブリングの焦点距離変動量も変化させる必要がある。このため、F値が変化した場合、ウォブリングの変調周波数を変化させたときと同様に、変調深さを変化させる必要がある。変化させる方向は、絞り値Fが大きくなるほど変調深さが大きくなる方向となる。つまり、F値にほぼ比例して変調深さを変化させる。このようなF値の変化による変調深さのデータもLUT８１０に格納しておき、F値の変化の情報を基にLUT８１０のデータを参照し、変調深さを変化させる。
【００３８】
例えば、F２.８の時に必要な焦点距離の変動範囲は、d=０.００４mm、k＝２として、式（５）から次の値となる。
LF=２.８=2*0.004*2.8=0.0224mm
ここで、この変動量を与えるために、VMaxF=２.８=１０.５V、VMinF=２.８=９.５VのAM変調波を与えるとすると、変調深さMdF=２.８は次の値となる。
Md=（１０.５-９.５）/（１０.５+９.５）=０.０５
【００３９】
更に、F８まで絞りこまれた場合、次の焦点距離の変動範囲が必要となる。
LF=８=2*0.004*8=0.064mm
このときの変調深さMdF=８はMdF=８=０.０５*（０.０６４/０.０２２４）=０.１４３であり、最大電圧と最小電圧はそれぞれVMaxF=８=１１.３３（V）、VMinF=８=８.５０（V）となる。
【００４０】
本実施例でも、液体レンズ８０３の共振周波数以上のウォブリング周波数で駆動する場合には、変調周波数の変化に対する変調深さの変化の傾きが、変調周波数の変化に対する振幅比の変化の傾きの逆符号になる様にすればよい。もちろん、共振周波数以下においても、変調深さを変化させても構わない。この様に、変調波の変調深さMdは、変調周波数と撮像光学系８０２の絞り値の２つのパラメータに応じて変化させることになる。こうして変調深さMdを変化させることで、撮像装置８０１のフレームレートや絞り値が変化しても、液体レンズ８０３での好適なウォブリング動作が可能になる。
【００４１】
以上の様に本実施例では、液体レンズに入力するAM変調波の変調深さを変化させることで、ウォブリング動作の効率化だけでなく、絞り値の変化による被写界深度の変化にも対応できる。また、AF用のレンズも液体レンズで兼用することで、システムの簡略化を図ることが可能になる。
【符号の説明】
【００４２】
１０１、５０３・・・液体レンズ、１０２・・・振幅変調信号発生器（信号供給手段）、１０３・・・CPU（信号供給手段）、１０４・・・ルックアップテーブル（信号供給手段）、５０１・・・撮像装置、５０２・・・撮像光学系、５０４・・・フォーカスレンズ、５０６・・・撮像素子
【図１】
0005783729.tif 000004
【図２】
0005783729.tif 000005
【図３】
0005783729.tif 000006
【図４】
0005783729.tif 000007
【図５】
0005783729.tif 000008
【図６】
0005783729.tif 000009
【図７】
0005783729.tif 000010
【図８】
0005783729.tif 000011
【図９】
0005783729.tif 000012